(57)【要約】      （修正有）【課題】導光板に変位の問題が発生しにくいバックライトモジュール及び表示装置を提供する。【解決手段】バックライトモジュールは、光源２と、導光板３と、固定ユニット５とを含む。導光板３は、少なくとも一部の輪郭は円弧である光出射領域と、光出射領域の円弧輪郭の側方向から外へ延在している少なくとも１つの位置決め部とを有する。固定ユニット５は、少なくとも１つの第１接合部５１１を有する第１固定部材５１と、少なくとも１つの第２接合部を有する第２固定部材とを含み、第１固定部材と第２固定部材とは、互いに配合して導光板３を挟んで固定しており、第１接合部５１１、第２接合部及び導光板３の位置決め部の三者は互いに接合している。【選択図】図１
0003213035.tif 000002
【実用新案登録請求の範囲】
【請求項１】
光源と、
少なくとも一部の輪郭が円弧である光出射領域と、前記光出射領域の円弧輪郭の側方向から外へ延在している少なくとも１つの位置決め部とを有する導光板と、
少なくとも１つの第１接合部を有する第１固定部材と、少なくとも１つの第２接合部を有する第２固定部材とを含む固定ユニットと、
を含み、
前記第１固定部材と前記第２固定部材とは、互いに配合して前記導光板を挟んで固定しており、前記第１接合部、前記第２接合部及び前記導光板の位置決め部の三者は互いに接合している、
ことを特徴とするバックライトモジュール。
【請求項２】
前記導光板の位置決め部はラグ状であり、貫通孔を有し、前記第１固定部材の第１接合部と前記第２固定部材の第２接合部は前記貫通孔を介して互いに接合している、
ことを特徴とする請求項１に記載のバックライトモジュール。
【請求項３】
前記第１固定部材は平板状を呈しており、前記第２固定部材は円環枠状を呈している、
ことを特徴とする請求項１〜２のいずれか一項に記載のバックライトモジュール。
【請求項４】
形状が前記導光板に対応するフィルムセットをさらに含み、
前記第１固定部材と前記第２固定部材とが互いに配合して前記導光板と前記フィルムセットを挟んで固定している、
ことを特徴とする請求項１〜３のいずれか一項に記載のバックライトモジュール。
【請求項５】
前記導光板は、円弧面形状の光入射面を有し、前記光源は、円弧面形状の前記光入射面に合わせて円弧形である発光部材を有する、
ことを特徴とする請求項１〜４のいずれか一項に記載のバックライトモジュール。
【請求項６】
前記導光板は複数の光入射面を有し、前記複数の光入射面はいずれも平面であり、隣接する両光入射面の間は１８０度よりも小さい交角を形成し、前記光源は、複数の発光部材を有し、前記光入射面は実質的に前記発光部材に平行である、
ことを特徴とする請求項１〜４のいずれか一項に記載のバックライトモジュール。
【請求項７】
前記第１固定部材の第１接合部は突出した柱状を呈しており、前記第２固定部材の第２接合部は凹溝状を呈している、
ことを特徴とする請求項１〜６のいずれか一項に記載のバックライトモジュール。
【請求項８】
前記第１固定部材の第１接合部は凹溝状を呈しており、前記第２固定部材の第２接合部は突出した柱状を呈している、
ことを特徴とする請求項１〜６のいずれか一項に記載のバックライトモジュール。
【請求項９】
前記導光板の前記貫通孔の輪郭は閉形状である、
ことを特徴とする請求項２に記載のバックライトモジュール。
【請求項１０】
前記導光板の前記貫通孔の輪郭は開形状であり、前記位置決め部のエッジ部には開口が形成されている、
ことを特徴とする請求項２に記載のバックライトモジュール。
【請求項１１】
請求項１〜１０のいずれか一項に記載のバックライトモジュールと、前記バックライトモジュールに設置された表示パネルとを含む、
ことを特徴とする表示装置。
【考案の詳細な説明】
【技術分野】
【０００１】
本考案は光源モジュールに関し、特にバックライトモジュール及び表示装置に関する。
【背景技術】
【０００２】
導光板は、多種多様な光源に合わせて、画面表示装置、表示パネルのような様々な電子製品、及び、キーボード等のような一般的な大型、小型の電子部材に幅広く応用されており、導光板の用途は、表示のモジュールから均一に光出射するように、光源から投射された光線を誘導することである。
【０００３】
従来のバックライトモジュールでは、バックプレート及びフロントフレームは、一般、導光板を挟んで固定するように、導光板の前後両側に設置されている。しかし、単に挟んで固定する方式は、搬送の過程中、又は前記バックライトモジュールが揺動の載置台に応用される時、前記導光板の前記バックプレート又はフロントフレームに対するスライド又は回転を招き、導光板の変位の問題が発生する可能性がある。変位は、前記導光板が摩擦され粉末が生じられることを引き起こしやすく、光出射の均一性に悪影響を与える。
【考案の概要】
【０００４】
従って、本考案の目的は、導光板に変位の問題が発生しにくいバックライトモジュールを提供することである。
【０００５】
本考案のバックライトモジュールは、光源と、導光板と、固定ユニットとを備える。前記導光板は、少なくとも一部の輪郭が円弧である光出射領域と、前記光出射領域の円弧輪郭の側方向から外へ延在している少なくとも１つの位置決め部とを有する。固定ユニットは、少なくとも１つの第１接合部を有する第１固定部材と、少なくとも１つの第２接合部を有する及び第２固定部材とを含み、前記第１固定部材と前記第２固定部材は、互いに配合して前記導光板を挟んで固定しており、前記第１接合部、前記第２接合部及び前記導光板の位置決め部の三者は互いに接合している。
【０００６】
本考案の別の技術的手段によれば、前記導光板の位置決め部はラグ状であり、貫通孔を有し、前記第１固定部材の第１接合部と前記第２固定部材の第２接合部は前記貫通孔を介して互いに接合している。
【０００７】
本考案のまた別の技術的手段によれば、該第１固定部材は平板状を呈しており、前記第２固定部材は円環枠状を呈している。
【０００８】
本考案の更なる技術的手段によれば、前記バックライトモジュールは形状が前記導光板に対応しているフィルムセットをさらに含み、前記第１固定部材と前記第２固定部材は互いに配合して前記導光板と前記フィルムセットを挟んで固定している。
【０００９】
本考案の別の技術的手段によれば、前記導光板は、円弧面形状の光入射面を有し、前記光源は、円弧面形状の前記光入射面に合わせて円弧形である発光部材を有している。
【００１０】
本考案のまた別の技術的手段によれば、前記導光板は複数の光入射面を有し、該複数の光入射面はいずれも平面であり、隣接する両光入射面の間は１８０度よりも小さい交角を形成し、前記光源は、複数の発光部材を有し、前記光入射面は実質的に前記発光部材に平行である。
【００１１】
本考案の更なる技術的手段によれば、前記第１固定部材の第１接合部は突出した柱状を呈しており、前記第２固定部材の第２接合部は凹溝状を呈している。
【００１２】
本考案の別の技術的手段によれば、前記第１固定部材の第１接合部は凹溝状を呈しており、前記第２固定部材の第２接合部は突出した柱状を呈している。
【００１３】
本考案のまた別の技術的手段によれば、前記導光板の前記貫通孔の輪郭は閉形状である。
【００１４】
本考案の更なる技術的手段によれば、前記導光板の前記貫通孔の輪郭は開形状であり、前記位置決め部のエッジ部には開口が形成されている。
【００１５】
本考案の別の目的は、前述のバックライトモジュールと前記バックライトモジュールに設置された表示パネルとを備える前述のバックライトモジュールを用いた表示装置を提供することである。
【考案の効果】
【００１６】
本考案の有益な効果は、前記導光板の位置決め部を形成することで、前記第１固定部材と前記第２固定部材とを一体に接合することによって、前記導光板の前記第１固定部材及び前記第２固定部材に対するスライド又は変位の発生を効果的に回避することができる。
【図面の簡単な説明】
【００１７】
【図１】本考案にかかるバックライトモジュールの好ましい実施例を示す分解斜視図である。
【図２】好ましい実施例にかかる導光板及び光源の態様を示す正面図である。
【図３】好ましい実施例にかかる前記光源の配置状況を示す一部拡大正面図である。
【図４】好ましい実施例において、前記導光板が第１固定部材に配置され、第２固定部材が設置されていない態様を示す正面図である。
【図５】好ましい実施例の組立が完了した態様を示す正面図である。
【図６】別の視点から好ましい実施例の組立が完了した態様を説明する背面図である。
【図７】図６のＶＩＩ−ＶＩＩ切断線における断面態様を示す部分の断面図である。
【図８】本考案の表示装置の好ましい実施例を示す部分の断面図である。
【考案を実施するための形態】
【００１８】
本考案にかかる出願の特徴及び技術的内容は、以下の図面を参考とした好ましい実施例の詳細な説明を通じて、明らかになる。
【００１９】
図１を参照すると、本実用新案の好ましい実施例にかかるバックライトモジュールは、光源２、導光板３、フィルムセット４及び固定ユニット５を含む。本実施例において、前記フィルムセット４は、トッププリズムシート４１、ボトムプリズムシート４２、ボトム拡散シート４３及び反射シート４４を含んでいるが、それらに限定されない。
【００２０】
図２を参照すると、該導光板３は複数の光入射面３１、光出射領域３２及び２つの位置決め部３３を含む。本実施例において、前記光出射領域３２の一部の輪郭は円弧であり、前記２つの位置決め部３３は前記光出射領域３２の円弧輪郭の両側の側方向から外へ延在している。各位置決め部３３はラグ状であり、貫通孔３３１を有する。本実施例において、前記貫通孔３３１の輪郭は開形状（即ち、切欠き形状）であり、前記位置決め部３３のエッジ部には開口が形成されている。当然ながら、実際に実施する際、前記貫通孔３３１の輪郭を閉形状にしてもよく、本実施例に開示されたものに限定されない。
【００２１】
図３を参照すると、前記導光板３の前記光入射面３１はいずれも平面であり、隣接する両光入射面３１の間は１８０度より小さい交角を形成する。前記光源２はＬＥＤライトバーであり、複数の間隔をおいて配列された発光部材２１を有する。具体的には、本実施例において、前記光源２がＬＥＤライトバーである設計であって、前記光入射面３１に沿って屈曲して延在しているが、各発光部材２１と対応する光入射面３１との間は互いに平行であり、これにより多角度の光入射を形成する設計である。なお、実際に実施する時、前記導光板３が円弧面形状を呈する光入射面３１のみを有し、前記光源２が前記光入射面３１の円弧面形状に合わせて円弧形である発光部材２１を有してもよい。前述の多角度の光入射の設計は、隅の暗帯の発生を減少させることができるだけでなく、前記光源２の延伸の長さを増加させ、前記発光部材２１の数を増加させ、輝度を対応的に向上させることもできる。
【００２２】
図１をさらに参照すると、前記固定ユニット５は第１固定部材５１及び第２固定部材５２を含み、前記第１固定部材５１と前記第２固定部材５２は互いに配合して前記導光板３と前記フィルムセット４を挟んで固定している。図１及び図４を参照すると、本実施例において、前記第１固定部材５１は、平板状を呈しており、支持の用途として前記導光板３の裏側に設置されており、業界では一般、バックプレートと称している。図４は前記導光板３が前記第１固定部材５１に配置された態様を示す。図１及び図５を参照すると、前記第２固定部材５２は円環枠状を呈し、前記導光板３を被覆するように前記導光板３の前側に設けられ、前記第１固定部材５１に互いに接合している。図５は図４の前記第２固定部材５２が設置された態様を示す。
【００２３】
図１及び図６を参照すると、図６は図５の背面図である。次に、前記第１固定部材５１、前記導光板３及び前記第２固定部材５２を如何に互いに接合するかを説明する。前記第１固定部材５１は２つの第１接合部５１１を有し、前記２つの第１接合部５１１の位置は互いに対称し、図１において、１つの第１接合部５１１は視角の原因でその他の部材に遮蔽されている。また、前記第２固定部材５２も２つの第２接合部５２１を有し、各第１接合部５１１、各第２接合部５２１及び前記導光板３の各位置決め部３３の三者が互いに接合しているため、その数は互いに対応している。本実施例において、前記第１固定部材５１の第１接合部５１１は凹溝状を呈し、前記第２固定部材５２の第２接合部５２１は突出した柱状を呈し、当然ながら、実際に実施する時、両者の構造は互いに変更することができる。図７に示すように、前記第１固定部材５１の第１接合部５１１と前記第２固定部材５２の第２接合部５２１は前記貫通孔３３１を介して互いに接合している。
【００２４】
上記設計により、前記第１固定部材５１と前記第２固定部材５２が互いに接合される時、各第１接合部５１１は前記導光板３における対応する前記貫通孔３３１を通過し、対応する第２接合部５２１と互いに接合されることにより、前記組立が完了した後、前記導光板３の前記第１固定部材５１及び前記第２固定部材５２に対する変位の発生を回避することができる。図８に示すように、組立完了後の前記バックライトモジュールにさらに表示パネル６を設置することで、表示装置を構成する。
【００２５】
以上のように、本考案にかかるバックライトモジュール及び表示装置は、前記導光板３と前記フィルムセット４の変位を改善し、前記導光板３、前記フィルムセット４、および隣接する部材の摩擦により粒子を発生することを減少させ、粒子による光出射の均一性への悪影響をさらに回避し、隅の暗帯の現象を改善し、輝度を向上させることができ、そのため、本考案の目的を確実に達成することができる。
【００２６】
前述のものは本考案の好ましい実施例に過ぎず、これらは本考案を実施する範囲を限定するものではなく、即ち、本考案の実用新案登録請求の範囲及び考案の内容に基づいて行われた全ての簡単な等価変更及び修飾は、いずれも本考案の保護範囲に属する。
【符号の説明】
【００２７】
２  光源、
２１  発光部材、
３  導光板、
３１  光入射面、
３２  光出射領域、
３３  位置決め部、
３３１  貫通孔、
４  フィルムセット、
４１  トッププリズムシート、
４２  ボトムプリズムシート、
４３  ボトム拡散シート、
４４  反射シート、
５  固定ユニット、
５１  第一固定部材、
５１１  第一接合部、
５２  第二固定部材、
５２１  第二接合部、
６  表示パネル。
【図１】
0003213035.tif 000003
【図２】
0003213035.tif 000004
【図３】
0003213035.tif 000005
【図４】
0003213035.tif 000006
【図５】
0003213035.tif 000007
【図６】
0003213035.tif 000008
【図７】
0003213035.tif 000009
【図８】
0003213035.tif 000010